(57)【要約】【課題】  歯ブラシハンドル、特にパームグリップで握りやすく、耐衝撃性、耐薬品性、安全性を兼ね備えた高品質な透明二色成形の歯ブラシハンドルを提供すること。【解決手段】  ヘッド部１と首部２と握り部３とを有する二色成形歯ブラシハンドルにおいて、１次側硬質樹脂５を透明なＰＣＴ樹脂とし、２次側軟質樹脂６をポリエステル系熱可塑性エラストマーとした。また、握り部３の胸部７を幅方向にゆるやかに膨らませ、該膨らみ以降からハンドル後端にかけては胸部よりも幅狭のストレート形状とし、指当て部９の前部の隆起部分と尾部の丸め部分を除き、握り部の厚みを±０．５ｍｍ以内でゆるやかに変化させるとともに、その断面形状を略楕円形とし、ハンドル全体の側面形状を略Ｓ字形状とした。さらに、指当て部９の中央付近にはＰＣＴ樹脂からなる凸部１０を形成した。【選択図】      図１
2005185649.tif 000002
【特許請求の範囲】
【請求項１】
ヘッド部と首部と握り部とを有する二色成形歯ブラシハンドルであって、１次側硬質樹脂が透明なポリシクロへキシレンジメチレンテレフタレート（ＰＣＴ）樹脂からなり、２次側軟質樹脂がポリエステル系熱可塑性エラストマーからなることを特徴とする歯ブラシハンドル。
【請求項２】
請求項１記載の歯ブラシハンドルにおいて、握り部の胸部が幅方向にゆるやかに膨らみ、かつ、該膨らみ以降からハンドル後端にかけては胸部よりも幅狭のストレート形状とされ、握り部前端側に形成された指当て部の前部の隆起部分と尾部の丸め部分を除き、握り部の厚みは±０．５ｍｍ以内でゆるやかに変化するとともに、その断面形状は略楕円形とされ、ハンドル全体の側面形状を略Ｓ字形状としたことを特徴とする歯ブラシハンドル。
【請求項３】
請求項１または２記載の歯ブラシハンドルにおいて、握り部前端側に２次側軟質樹脂のエラストマーによって略楕円形の指当て部を形成し、該指当て部の中央付近には１次側硬質樹脂のポリシクロへキシレンジメチレンテレフタレート（ＰＣＴ）樹脂からなる凸部を形成したことを特徴とする歯ブラシハンドル。
【請求項４】
請求項１〜３のいずれかに記載の歯ブラシハンドルにおいて、ハンドル尾端部は２次側軟質樹脂のエラストマーが被覆されておらず、かつ、エラストマー射出ゲートはハンドル指当て部以外のハンドル背面のエラストマー部分に設けたことを特徴とする歯ブラシハンドル。
【請求項５】
請求項１〜４のいずれかに記載の歯ブラシハンドルにおいて、１次側硬質樹脂のポリシクロへキシレンジメチレンテレフタレート（ＰＣＴ）樹脂からなるハンドル透明部分に、表面をシボ加工などによって半透明加工した凸部によって商品名や文字・デザインなどのレリーフを施したことを特徴とする歯ブラシハンドル。
【発明の詳細な説明】
【技術分野】
【０００１】
本発明は、歯ブラシハンドル、特にパームグリップで握りやすく、耐衝撃性、耐薬品性、安全性を兼ね備えた高品質で透明な二色成形歯ブラシハンドルに関するものである。
【背景技術】
【０００２】
従来から透明二色成形歯ブラシハンドルの透明材料としては、アクリル樹脂、ポリエステル系樹脂としてポリエチレンテレフタレート（ＰＥＴ）樹脂、ポリカーボネート樹脂などが知られている。しかし、アクリル樹脂は耐衝撃強度の点で問題があり、脆くて折れやすい。また、ポリエチレンテレフタレート（ＰＥＴ）樹脂は耐薬品性が充分でなく、長時間の使用で強度低下がおこり、ポリカーボネート樹脂は環境ホルモンなど安全性に問題がある。これら耐衝撃強度、耐薬品性、安全性を同時に満たすことは非常に困難であった。
【０００３】
また透明二色成形歯ブラシハンドルにおいて、主流のグリップ法であるパームグリップで快適に使用するためには、ハンドルの形状やエラストマーの配置に未だ研究すべき点があった。
【０００４】
さらに透明二色成形歯ブラシハンドルは、２次側の樹脂流路が露出するため、エラストマーでロゴを成形する場合、デザイン性を著しく損なうことが多く、それゆえ転写シールが用いられることがほとんどであるが、高コストになるという問題があった。
【０００５】
以下、二色成形歯ブラシハンドル関係の先行技術のいくつかを挙げる。
（ａ）特許文献１（特開２００３−２６５２３２号公報）
飽和ポリエステル系樹脂からなる硬質部と、ポリエステル系熱可塑性エラストマーからなるゴム部からなる歯ブラシハンドルであって、ハンドル両側にゴム硬度55〜95のエラストマーを帯状に設けた歯ブラシハンドルが示されている。この歯ブラシハンドルの場合、飽和ポリエステル系樹脂としてはＰＥＴ樹脂が好ましいとされているが、耐薬品性がやや不足しており、長時間の使用には強度低下の問題がある。また、パームグリップで握りやすいハンドル形状としては検討不充分であり、指当て部形状に関してもデザイン重視となっており、使用感上の研究の余地があった。
【０００６】
さらに、帯状エラストマーをハンドル尾端側で連結することも示されているが、尾端部は汚れが付着しやすいため、尾端部以外で連結することが望ましい。エラストマー射出ゲート位置については特に記載されていないが、指当て部などに設けると、ゲート跡が歯ブラシ使用時に違和感を生じさせたり、ヒケの原因となるため、ゲートは指当て部以外のハンドル後方の背面に設けることが望ましい。
【０００７】
（ｂ）特許文献２（実公平３−２１６０７号公報）
硬質、軟質樹脂による二色成形ハンドルであり、把持感を向上させるために軟質樹脂をハンドル両外側および平行部材間に形成した歯ブラシハンドルが示されている。この歯ブラシハンドルは、形状が十分に研究されておらず、硬質樹脂材料で示されるポリカーボネートなどは強度、安全性の両立ができず不適当である。
【０００８】
（ｃ）特許文献３（特開２００１−２９９４５０号公報）
グリップ部がハンドル全長の１/２以上であり、その断面形状がハンドル尾端にむかうに従って略四角形とされ、一部がエラストマーで被覆された歯ブラシハンドルが示されている。この歯ブラシハンドルは、ハンドル胸部に膨らみがないため、パームグリップで握ったときに人指し指のフィット感・安定感にやや不充分さがある。また、断面が略四角形のため、特定方向での握りに対しては高い安定感を提供できるが、歯ブラシの持ち方を変えながら口腔内を磨く場合、ハンドルの操作性にやや不充分な面があった。ハンドルの透明材料としては、ポリエチレンテレフタレートやポリブチレンテレフタレートのようなポリエステル樹脂やポリカーボネート樹脂などが記載されているが、上記同様、強度、安全性の不足が考えられる。
【０００９】
（ｄ）特許文献４（特許第３３０４０８９号公報）
透明二色成形歯ブラシハンドルにおいて、２次側軟質樹脂が多点射出成形によって形成されたハンドルが示されている。ハンドル材質や形状に関して特に研究がなされていない。
【００１０】
【特許文献１】特開２００３−２６５２３２号公報（全頁、全図）
【特許文献２】実公平３−２１６０７号公報（全頁、全図）
【特許文献３】特開２００１−２９９４５０号公報（全頁、全図）
【特許文献４】特許第３３０４０８９号公報（全頁、全図）
【発明の開示】
【発明が解決しようとする課題】
【００１１】
上述した従来の透明二色成形歯ブラシハンドルには、次のような問題があった。
（１）従来の透明二色成形歯ブラシハンドルの透明樹脂は、耐衝撃強度、耐薬品性、安全性のいずれかが品質不充分であった。
（２）透明二色成形歯ブラシハンドルにおいて、主流のグリップ法であるパームグリップでの握りやすさ、操作性に優れた形状検討は十分に行なわれておらず、高いフィット感が得られていなかった。
（３）透明二色成形歯ブラシハンドルはデザイン優先の設計に陥りやすく、指当て部においてフィット性および滑り止め効果などの使用性を高い次元で両立させた設計検討は不充分であった。
（４）透明二色成形歯ブラシハンドルは、２次側で商品名などを表わす場合、転写シールがよく知られているが、高コストである。通常の二色成形ハンドルのようにエラストマーでロゴを成形する場合、透明ハンドルでは２次側の流路が透けて見えるため、デザイン性を著しく損なうことが多い。１次側表層に凹部溝を設け、エラストマーを流すことで一筆書き的にロゴを表わそうとしても充分な接着性を与えるためには広い流路幅が必要であり、文字が太くなってデザイン上の制約が大きいという問題がある。
（５）デザイン性とエラストマー接着性の点から、ハンドルサイドのエラストマー帯をハンドル尾端で連結させるものがあるが、尾端のエラストマーは使用中に汚れやすく、淡い色、明るい色のエラストマーでは汚れが目立ってしまうという問題がある。
（６）透明二色成形歯ブラシハンドルのデザイン性と滑り止め効果を両立させる目的でエラストマーをハンドル両サイドに配置する場合、指当て部にエラストマー射出ゲートを設けることが多い。しかし、指当て部にゲートを設けると、ハンドルを握ったときにゲート跡に違和感があり、またヒケの原因にも繋がりやすい。
【００１２】
本発明は、上記問題を解決するためになされたもので、特にパームグリップで握りやすく、耐衝撃性、耐薬品性、安全性を兼ね備えた高品質な透明二色成形の歯ブラシハンドルを提供することを目的とするものである。
【課題を解決するための手段】
【００１３】
請求項１の歯ブラシハンドルは、高い耐衝撃強度、耐薬品性、安全性を実現するために、１次側硬質樹脂が透明なポリシクロへキシレンジメチレンテレフタレート（ＰＣＴ）樹脂からなり、２次側軟質樹脂がポリエステル系熱可塑性エラストマーからなることを特徴とするものである。
【００１４】
請求項２の歯ブラシハンドルは、主にパームグリップでの高いフィット感、グリップ性および操作性を実現するため、握り部の胸部が幅方向にゆるやかに膨らみ、かつ、該膨らみ以降からハンドル後端にかけては胸部よりも幅狭のストレート形状とされ、握り部前端側に形成された指当て部の前部の隆起部分と尾部の丸め部分を除き、握り部の厚みは±０．５ｍｍ以内でゆるやかに変化するとともに、その断面形状は略楕円形とされ、ハンドル全体の側面形状を略Ｓ字形状としたことを特徴とするものである。
【００１５】
請求項３の歯ブラシハンドルは、フィット性および滑り止め効果向上のため、握り部前端側に２次側軟質樹脂のエラストマーによって略楕円形の指当て部を形成し、該指当て部の中央付近には１次側硬質樹脂のポリシクロへキシレンジメチレンテレフタレート（ＰＣＴ）樹脂からなる凸部を形成したことを特徴とするものである。
【００１６】
請求項４の歯ブラシハンドルは、デザイン性とエラストマー接着性を確保し、かつ、使用時におけるハンドル尾端の汚れやすさを改善するために、ハンドル尾端部は２次側軟質樹脂のエラストマーが被覆されておらず、かつ、エラストマー射出ゲートはハンドル指当て部以外のハンドル背面のエラストマー部分に設けたことを特徴とするものである。
【００１７】
請求項５の歯ブラシハンドルは、低コストと高いデザイン性を両立させるため、１次側硬質樹脂のポリシクロへキシレンジメチレンテレフタレート（ＰＣＴ）樹脂からなるハンドル透明部分に、表面をシボ加工などによって半透明加工した凸部によって商品名や文字・デザインなどのレリーフを施したことを特徴とするものである。
【００１８】
以下、各部の仕様についてさらに詳細に説明する。
Ｉ．ブラシハンドル形状
（ａ）ブラシ全長
ヘッド部まで含めたブラシ全長は、大人一般向けの場合１９０ｍｍ以内がよく、好ましくは１７０〜１８５ｍｍ程度がよい。長過ぎると操作性が悪くなり、短すぎると寸足らずで持ちにくくなる。握り部の長さは尾端から指当て部の長さを１００ｍｍ〜１１５ｍｍ程度とするのが好ましく、手の平均的な大きさから１１０ｍｍ前後とするのがより好ましい。
【００１９】
（ｂ）ハンドル平面形状
ハンドル上面から見て、握り部は指当て部がある胸部がやや膨らみ、該胸部の膨らみ以降から尾部にかけてやや細り、平行でストレートなラインで繋がり、尾端部で滑らかな丸め処理がなされた形状とする。ストレート部は、尾部に向かって尻すぼみなどの形状では小指などに自然に力が入らず、またフィット感も損なうことから疲れやすいグリップ感覚となる。
【００２０】
胸部最大幅は１１.５ｍｍ〜１４.５ｍｍ程度が望ましく、腰部から尾部までの幅は１０.５〜１３.５ｍｍ程度が望ましい。胸部最大幅は大き過ぎても小さ過ぎても手にフィットしにくい。胸部最大幅とストレート部幅の比率は１.０５〜１.１０：１程度が好ましい。比率は小さいとストレートハンドルに近くなり、形状効果が発揮されず、比率が大き過ぎると手全体でハンドルを包み込むようにフィットさせることができず、かえって握りづらくなる。
【００２１】
（ｃ）ハンドル側面形状
主にパームグリップでのフィット感を向上させるには、ヘッド部まで含めた側面形状を緩いＳ字型とするのが好ましい。首部はＲ１５０〜Ｒ４００程度の湾曲を与え、ハンドル握り部はＲ５００〜Ｒ１５００程度の極めて緩やかな湾曲を付与する。
【００２２】
首部の湾曲はヘッドが口腔内の奥に届きやすい形状が好ましいが、湾曲が小さいと逆に邪魔となり、操作性が悪化する。握り部の湾曲は大き過ぎるとストレートハンドルと差がなくなり、Ｓ字型の形状効果が発揮されず、小さ過ぎると反りすぎた形となり、逆にフィット性を損なうこととなる。
【００２３】
ヘッド部の持ちあがり角度（ハンドルに対するヘッド面の角度）は、ハンドル尾端のパーティング部と指当て部中央のパーティング部を結んだ直線とヘッド上面のラインとの角度が１.５〜３.５°となるようにすることが好ましく、さらには２°程度がより好ましい。全体的な側面形状は、上記湾曲を繋いだ緩やかなＳ字形状とし、ヘッドがやや持ちあがったものとする。
【００２４】
（ｄ）握り部厚み
握り部の厚みは８〜１０ｍｍ程度が好ましく、さらには９ｍｍ前後が好ましい。指当て部の盛り上がり部分と尾部の丸め部分を除き、最大・最小厚みの差は大き過ぎない方が自然なフィット感を実現できる。最大・最小厚みの差の範囲としては１ｍｍ以内、好ましくは０.５ｍｍ以内がよい。急激な形状変化は手とハンドルの間に無用な隙間を生じるだけであり、高いフィット感の実現には重要なポイントである。
【００２５】
（ｅ）握り部断面形状
パームグリップでハンドルを握るとき、人差し指と親指は握り部の胸部を押さえ、他の指はストレート部を握ることとなる。よって胸部断面はやや扁平な略楕円として親指での刷毛方向位置決めを容易にし、ストレート部は胸部より真円に近い略楕円とし、ブラッシング時に刷毛方向を変える時のハンドルのまわしやすさを向上させる形状とする。さらに、歯ブラシ使用時は口腔内の隅々まで磨くためにハンドルを常にまわしたり持ち手を変えるため、スムーズな操作ができるようにハンドル外形は指当て部面を除きすべて曲面からなる方が好ましい。
【００２６】
（ｆ）エラストマー部形状
透明二色成形歯ブラシハンドルにおいて、エラストマー部はハンドルの前端に指当て部を形成し、そこから帯状にハンドル後部に続く形状とし、ハンドル尾端よりやや前側（ヘッド側）の背面または上面で繋がる形状が好ましい。ハンドル尾端にエラストマーを配置すると使用時に汚れることがあり、好ましくない。
II．指当て部
（ａ）指当て部はエラストマーなどの弾性材料からなることが望ましい。形状は指にフィットするように略楕円が好ましい。サイズは長軸方向×短軸方向＝１８〜３５ｍｍ×６〜１２ｍｍ程度が好ましい。厚みは０．５〜５．０ｍｍ程度であることがエラストマー弾力の効果実感のために好ましい。
【００２７】
（ｂ）指当て部凸部
さらなるすべり止め効果、指当て部位置の認識性、デザイン性の向上を目的として、指当て部中央部には透明な１次側硬質樹脂からなる凸部を設けることが望ましい。形状は指当て部相似形に近い略楕円形が好ましい。サイズは長軸方向×短軸方向＝３〜７ｍｍ×０．５〜２ｍｍ程度が好ましい。凸部厚み（突出高さ）は０．２〜１．０ｍｍ程度とする。厚みが少な過ぎても機能効果が発揮されないが、大き過ぎてもゴツゴツした違和感がでる。
【００２８】
（ｃ）位置
指当て部の配置は、ハンドル最前端である首部との境目に配置する。刷毛の存在するハンドル上面側に配置することは必須であり、必要に応じてハンドル背面側にも配置することが望ましい。
【００２９】
III. 材質
（ａ）１次側材質
透明な二色成形歯ブラシハンドルの１次側材質としては、ポリシクロへキシレンジメチレンテレフタレート（ＰＣＴ）樹脂（イーストマンケミカル  ＰＣＴＡ  ＥＡＳＴＡＲ  ＢＲ２０３）が好ましい。これはシクロへキサンジメタノール（ＣＨＤＭ）をイソフタル酸（ＩＰＡ）で酸変性したコポリエステル樹脂であり、透明性、耐薬品性、耐衝撃性、成形性に優れる。また、ＦＤＡ（米食品医薬品局）規格にも準拠しており、安全性が高い。
【００３０】
公知の透明硬質樹脂材料としては、アクリル樹脂やポリカーボネート樹脂などがあるが、耐衝撃性、安全性の面から歯ブラシハンドル材料としては十分ではない。また、特許文献１（特開２００３−２６５２３２号公報）には飽和ポリエステル系樹脂であるＰＥＴ樹脂が好ましいとされているが、耐薬品性がやや不足しており、繰返し疲労とともに強いハミガキ香料などに長時間曝された場合、化学反応による強度低下が起こり脆くなるという欠点がある。透明ＡＢＳ樹脂も同様に耐薬品性が不足しているため好ましくない。なお、色調の制約は特にない。
【００３１】
（ｂ）２次側材質
透明な二色成形歯ブラシハンドルの２次側材質のエラストマーとしては、１次側硬質樹脂との接着性の点からポリエステル系熱可塑性エラストマーが好ましい。ポリエステル系エラストマーでないと基本的に１次側のＰＣＴ樹脂と接着が困難であり、デザイン的な制約を受けることとなる。ポリオレフィン系エラストマーなどの接着性が低いエラストマーを利用する場合は、エラストマー部が外れないように１次側硬質樹脂の成形部を巻くような構造とする必要がある。
【００３２】
ゴム硬度はショアＡ４０〜９０程度が好ましいが、柔らかいいほど接着性が低下するため、選定には注意が必要である。ただし、硬過ぎるとエラストマーの効果が発揮出来ないため好ましくない。エラストマー部に透明性が必要な場合は、プリマロイ（三菱化学製）が好ましい。プリマロイＡ１５００、Ａ１６００ＮＳ、Ａ１７００などは硬度も比較的柔らかく、接着性も良好なことから好ましい材料と言える。乳白色から不透明色の場合は、ハイトレル（東レデュポン製）などが適用可能である。その他、ヘルプレン（東洋紡績製）、エラステージ（東ソー製）、Ｓ−ＴＰＥ（積水化学工業製）などがある。また、スチレン系エラストマー樹脂でも接着は可能であるため、これを選んでもよい。着色は全着材料を利用してもよいが、生産性を考慮してマスターバッチとするのが好ましく、色調の制約は特にない。
【００３３】
IV．レリーフ
（ａ）文字・デザイン
透明な二色成形歯ブラシハンドルに商品名などを記す場合、転写シールやホットスタンプ、２次側軟質樹脂での文字やデザイン成形などの手法がある。転写シールやホットスタンプはデザイン性の高さがメリットであるが、コストが高いために好ましくない。２次側軟質樹脂での文字やデザイン成形は、透明二色成形の場合、樹脂の流路が透けて見えるためにデザイン性を大きく損なうことが多く、好ましくない。コスト、デザイン性の両立には凸レリーフとし、かつ、表面をシボ加工などで半透明加工することが好ましい。凹状に文字を凹ませることは、汚れ付着の原因になりやすいため、好ましくない。凸部の厚み（突出高さ）は０．１〜０．５ｍｍ程度が好ましく、更に好ましくは０．２ｍｍ前後がよい。
【００３４】
Ｖ．成形
（ａ）１次側
１次側樹脂である硬質かつ透明なＰＣＴ樹脂は、成形前に十分除湿する必要がある。乾燥は７０℃、４〜６時間程度行なう。シリンダー温度は２４０〜２８０℃程度が好ましく、さらには２５０〜２７０℃とするの好ましい。成形温度が低過ぎると外観不良などが発生しやすくなり、高すぎると樹脂劣化がおこり、成形品の強度が低下して脆くなることがある。金型温度は通常のエラストマー並の１５〜４０℃程度でよい。金型温度は低いと気泡などが発生し、高すぎると成形形状が安定しないばかりか、成形時間も長くなり好ましくない。射出ゲートはサイドゲートとし、ハンドル尾部に設けることが好ましい。ゲート付近に柄穴を設けると樹脂が整流され、成形品外観が向上する。
【００３５】
（ｂ）２次側
２次側のエラストマー樹脂は、１次側のＰＣＴ樹脂との接着性を確保するためにシリンダー温度は２３０℃近辺とし、外観などに支障をきたさないことを前提に高めの温度設定が好ましい。金型温度は通常のエラストマー並の１５〜４０℃程度でよい。着色は全着材料を利用してもよいが、生産性を考慮してマスターバッチとするのが好ましい。また、エラストマーの射出ゲートは指当て部以外に設けることが望ましい。指当て部にゲートを設けた場合、ゲート跡が残り、握った時に違和感があり、ヒケの発生によってフィット感を損なう場合がある。好ましくはハンドル後部で、かつ、背面側に設ける。エラストマー流路は、幅×深さ＝１ｍｍ×１ｍｍ相当以上のサイズを確保することが望ましい。射出時のエラストマー温度が低下しすぎると１次側のＰＣＴ樹脂との接着性に支障をきたすため、高温のエラストマーが隅々まで流れ渡るように留意する必要がある。
【００３６】
VI．植毛部
（ａ）ヘッド部サイズ
透明二色成形歯ブラシハンドルのヘッド部サイズは特に制約されるものではなく、通常の歯ブラシと同等でよい。長さ＝１０ｍｍ〜３０ｍｍ、幅＝７ｍｍ〜１２ｍｍ、厚み３ｍｍ〜６ｍｍ程度の範囲が好ましい。
【００３７】
（ｂ）刷毛
用毛材質は、ナイロン、ポリブチレンテレフタレート（ＰＢＴ）、ポリエチレンテレフタレート（ＰＥＴ）、ポリトリメチレンテレフタレート（ＰＴＴ）、ポリプロピレン（ＰＰ）、天然毛など特に制約はなく、用毛形状もストレート、テーパー、波型（クリンプ）など通常の形状であればよく、用毛断面形状も特に制約はない。用毛径は５ｍｉｌ〜１２ｍｉｌ（０．０１２７〜０．３０５ｍｍ）程度が好ましい。刷毛長（毛丈）は８〜１３ｍｍ程度が好ましい。カット形状はストレートカット、山切りカット、波型カットなど特に制約はない。先端極細毛以外の刷毛の場合、カット後に毛先の丸め処理を施すことが望ましい。
【発明の効果】
【００３８】
本発によれば、以下のような優れた効果を奏することができる。
（１）１次側硬質樹脂としてポリシクロへキシレンジメチレンテレフタレート（ＰＣＴ）樹脂を用いることで、透明性、耐薬品性、耐衝撃性、成形性、安全性に優れ、二次側軟質樹脂としてポリエステル系熱可塑性エラストマーを用いることで、フィット感が高く、１次側硬質樹脂との接着性も良好な高品質の透明二色成形歯ブラシハンドルとすることができる。
【００３９】
（２）ハンドル平面形状において胸部に幅方向の膨らみがあり、胸部以降はストレート形状とし、かつ、側面形状をＳ字形状とし、断面形状を略楕円としたので、特にパームグリップで握りやすく、フィット感に優れた歯ブラシハンドルとすることができる。
【００４０】
（３）指当て部をエラストマーからなる略楕円形のものとし、かつ、その中央付近に透明樹脂からなる凸部を設けたので、フィット性、デザイン性および滑り止め効果の優れた歯ブラシハンドルとすることができる。
【００４１】
（４）ハンドル尾端にはエラストマー部を設けず、エラストマー射出ゲートをハンドル指当て部以外のハンドル背面または上面に設けたので、汚れにくくフィット感の高い歯ブラシを提供することができる。
【００４２】
（５）ハンドル透明部分に文字・デザインを半透明レリーフで成形するようにしたので、従来並のコストでデザイン性、認知性の高い歯ブラシを提供することができる。
【発明を実施するための最良の形態】
【００４３】
以下、本発明の実施の形態について説明する。
図１に、本発明に係る歯ブラシハンドルの第１の実施の形態を示す。
図において、１は歯ブラシハンドルのヘッド部、２は首部、３は握り部、４はヘッド部１の上面の植毛面に形成された植毛穴であって、１次側硬質樹脂５たるＰＣＴ樹脂としてＥＡＳＴＡＲ  ＢＲ２０３（イーストマンケミカル製）を用い、２次側軟質樹脂６たるポリエステル系エラストマーとしてプリマロイ  Ａ１６００ＮＳ（三菱化学製）を用いた。また、ヘッド部１からハンドル後端までのハンドル全長を１８５ｍｍ、握り部３の最大幅広部分たる胸部７の幅を１３.０ｍｍ、ストレート部８の幅を１２.０ｍｍ、指当て部９を除く握り部３の最大厚を９.５ｍｍとした。
【００４４】
握り部３の上面側前端にはエラストマーで成形した略楕円形（２０ｍｍ×７.６ｍｍ）の指当て部９を設け、その中央部には透明樹脂からなる略楕円形（５ｍｍ×１ｍｍ）の凸部１０（厚み＝０.２ｍｍ）を設けた。
【００４５】
ハンドルの側面形状は、首部２を曲率半径２２０ｍｍ（パーティングライン部の曲率半径）でハンドル上面側に持ち上がるように湾曲させ、握り部３はハンドル背面側に向かって曲率半径８５０ｍｍ（パーティングライン部の曲率半径）で湾曲した形状とした。
【００４６】
２次側軟質樹脂６たるエラストマーは、指当て部９からハンドル両側面を通って後方へと帯状に伸び、尾部から１３ｍｍ前方のハンドル背面にて左右が連結される形状とした。エラストマー射出ゲート１１は、このエラストマー帯の後端位置に配置した。
【００４７】
また、商品名などのレリーフ１２は、ハンドル上面側に位置してハンドル尾部から前方側３５ｍｍ付近がレリーフ中心となるようにし、０.２ｍｍ厚（突出高さ）からなる表面シボ加工を施した凸文字で成形した。
【００４８】
図２に、本発明に係る歯ブラシハンドルの第２の実施の形態を示す。
この第２の実施の形態は、１次側硬質樹脂５たるＰＣＴ樹脂としてＥＡＳＴＡＲ  ＢＲ２０３（イーストマンケミカル製）を用い、２次側軟質樹脂６たるポリエステル系エラストマーとしてプリマロイ  Ａ１７００（三菱化学製）を用いた。また、ヘッド部１からハンドル後端までのハンドル全長を１８０ｍｍ、握り部３の最大幅広部分たる胸部７の幅を１２.０ｍｍ、ストレート部８の幅を１１.０ｍｍ、指当て部９を除く握り部３の最大厚を９.０ｍｍとした。
【００４９】
握り部の上面側と背面側の前端には、それぞれエラストマーで成形した略楕円形（３０ｍｍ×９ｍｍ）の指当て部９，１３を設け、その中央部には透明樹脂からなる略楕円形（７ｍｍ×１.５ｍｍ）の凸部１０，１４（厚み＝０.３ｍｍ）をそれぞれ設けた。
【００５０】
ハンドルの側面形状は、首部２を曲率半径２００ｍｍ（パーティングライン部の曲率半径）でハンドル上面側に持ち上がるように湾曲させ、握り部３はハンドル背面側に向かって曲率半径６５０ｍｍ（パーティングライン部の曲率半径）で湾曲した形状とした。
【００５１】
２次側軟質樹脂６たるエラストマーは、上面側と背面側の指当て部９，１３からハンドル両側面を通って後方へ向かって帯状に伸び、尾部から１５ｍｍに設けられたリング状巻きつけられたエラストマー部と連結される形状とした。また、エラストマー射出ゲート１５は、このエラストマーリングの背面側後端位置に配置した。
【００５２】
また、商品名などのレリーフ１２は、ハンドル上面側に位置して、ハンドル尾部から前方側３５ｍｍ付近がレリーフの中心となるようにし、０.２ｍｍ厚８（突出高さ）の表面シボ加工を施した凸文字で成形した。
【００５３】
＜実験例＞
透明二色成形歯ブラシハンドルにおける１次側硬質樹脂の物性評価試験を行なった。その結果を表１に示す。表１から明らかなように、本発明で採用したＰＣＴ樹脂は、対衝撃性、耐薬品性、安全性のいずれにおいても優れていることが確認された。
【００５４】
【表１】
2005185649.tif 000003
【００５５】
＜評価方法＞
○：優れている
△：普通
×：悪い
【００５６】
ハンドル形状の違いによるフィット感の評価試験を行なった。その結果を表２に示す。表２から明らかなように、握りやすくフィット感が高いハンドル形状は、、本発明が採用した平面形状が胸部に膨らみがあり、側面形状がＳ字状で、かつ、楕円断面のものであった。
【００５７】
＜実験条件＞
被験者数：５０名
試験期間：２週間
＜評価方法＞
フィット感の評価は７段階絶対評価によって行ない、評価値の平均値を評価結果とした。
【００５８】
【表２】
2005185649.tif 000004
【実施例】
【００５９】
図３〜図７に、本発明に係る歯ブラシハンドルの具体的な実施例を示す。この実施例は、前述した第１の実施の形態（図１）の具体的な寸法を示すものである。
【図面の簡単な説明】
【００６０】
【図１】本発明に係る歯ブラシハンドルの第１の実施の形態を示すもので、（ａ）は平面図、（ｂ）は側面図、（ｃ）は背面図である。
【図２】本発明に係る歯ブラシハンドルの第２の実施の形態を示すもので、（ａ）は平面図、（ｂ）は側面図、（ｃ）は背面図である。
【図３】本発明に係る歯ブラシハンドルの具体的な実施例を示すもので、（ａ）は平面図、（ｂ）は側面図、（ｃ）は背面図である。
【図４】（ａ）は図３の歯ブラシヘッド部の拡大平面図、（ｂ）は歯ブラシヘッド部の拡大断面図である。
【図５】各部の断面形状を示すもので、（ａ）は図３（ｂ）中のＡ−Ａ線断面図、（ｂ）は図３（ｂ）中のＢ−Ｂ線断面図、（ｃ）は図３（ｂ）中のＣ−Ｃ線拡大断面図、（ｄ）は図３（ｂ）中のＤ−Ｄ線拡大断面図である。
【図６】各部の断面形状を示すもので、（ａ）は図３（ｂ）中のＥ−Ｅ線拡大断面図、（ｂ）は図３（ｂ）中のＦ−Ｆ線拡大断面図、（ｃ）は図３（ｂ）中のＧ−Ｇ線拡大断面図、（ｄ）は図３（ｂ）中のＨ−Ｈ線拡大断面図である。
【図７】各部の断面形状を示すもので、（ａ）は図３（ｂ）中のＩ−Ｉ線拡大断面図、（ｂ）は図３（ｂ）中のＪ−Ｊ線拡大断面図、（ｃ）は図３（ｂ）中のＫ−Ｋ線拡大断面図、（ｄ）は図３（ｂ）中のＬ−Ｌ線拡大断面図である。
【符号の説明】
【００６１】
１    ヘッド部
２    首部
３    握り部
４    植毛穴
５    １次側硬質樹脂
６    ２次側軟質樹脂
７    胸部
８    ストレート部
９，１３    指当て部
１０，１４  凸部
１１，１５  エラストマー射出ゲート
１２  レリーフ
【図１】
2005185649.tif 000005
【図２】
2005185649.tif 000006
【図３】
2005185649.tif 000007
【図４】
2005185649.tif 000008
【図５】
2005185649.tif 000009
【図６】
2005185649.tif 000010
【図７】
2005185649.tif 000011